(57)【要約】【課題】  コンテンツデータの転送作業を格段と容易にし得るようにする。【解決手段】  この転送装置２は、携帯再生装置５が接続台４に載置された状態で転送装置２の転送ボタン６Ａが押下操作されると、ハードディスクドライブ１２に記憶されている複数の音楽データのうち既に転送された転送済みの音楽データを除く音楽データの中から所定順序で複数の音楽データを選択し、当該選択した音楽データを携帯再生装置５に対して自動的に転送する。【選択図】        図１
2006235717.tif 000002
【特許請求の範囲】
【請求項１】
第１の装置に通信手段を介して接続される第２の装置が管理する記憶媒体の容量が、上記第１の装置から上記第２の装置に対して転送すべきコンテンツデータのデータ量以上である場合、上記第１の装置は、上記第１の装置に記憶されるコンテンツデータと上記第２の装置が管理する記憶媒体に記憶されるコンテンツデータとを同期させる同期処理を実行し、
上記第２の装置が管理する記憶媒体の容量が、上記第１の装置から上記第２の装置に対して転送すべきコンテンツデータのデータ量より小さい場合、上記第１の装置は、上記第２の装置が管理する記憶媒体に記憶されているコンテンツデータとは異なるコンテンツデータを優先的に選択して上記第２の装置に対して転送する選択転送処理を実行する
ことを特徴とするコンテンツ転送方法。
【請求項２】
上記選択転送処理において上記第１の装置は、上記第１の装置が管理する記憶媒体に記憶されている複数のコンテンツデータの中から、上記第２の装置に対して既に転送された転送済みのコンテンツデータを除いて所定順序で複数のコンテンツデータを選択し、当該選択したコンテンツデータを上記第２の装置に対して転送する
ことを特徴とする請求項１に記載のコンテンツ転送方法。
【請求項３】
上記選択転送処理において上記第１の装置は、上記第１の装置が管理する記憶媒体に記憶されている複数のコンテンツデータの中から、上記第２の装置に対して既に転送された転送済みのコンテンツデータを除いて順序無作為で複数のコンテンツデータを選択し、当該選択したコンテンツデータを上記第２の装置に対して転送する
ことを特徴とする請求項１に記載のコンテンツ転送方法。
【請求項４】
上記選択転送処理において上記第１の装置は、上記第１の装置が管理する記憶媒体に記憶されている複数のコンテンツデータを各コンテンツデータに対応付けられた属性情報に基づいてグループごとに分類し、当該分類された複数のコンテンツデータの中からグループごとに所定曲数ずつコンテンツデータを選択し、当該選択したコンテンツデータを上記第２の装置に対して転送する
ことを特徴とする請求項１に記載のコンテンツ転送方法。
【請求項５】
上記選択転送処理において上記第１の装置は、上記第１の装置が管理する記憶媒体に記憶されている複数のコンテンツデータの中から、上記第１の装置において頻繁に再生されるコンテンツデータを優先的に選択し、当該選択したコンテンツデータを上記第２の装置に対して転送する
ことを特徴とする請求項１に記載のコンテンツ転送方法。
【請求項６】
上記選択転送処理において上記第１の装置は、上記第１の装置が管理する記憶媒体に記憶されている複数のコンテンツデータの中から、上記第１の装置において転送直前まで再生されていたコンテンツデータを優先的に選択し、当該選択したコンテンツデータを上記第２の装置に対して転送する
ことを特徴とする請求項１に記載のコンテンツ転送方法。
【請求項７】
上記第１の装置は、上記選択したコンテンツデータが属しているグループに属する他のコンテンツデータも選択し、当該選択したコンテンツデータを上記第２の装置に対して転送する
ことを特徴とする請求項６に記載のコンテンツ転送方法。
【請求項８】
上記選択転送処理において上記第１の装置は、上記第１の装置が管理する記憶媒体に記憶されている複数のコンテンツデータの中から、上記第２の装置に対してコンテンツデータを転送した前回の時点以降に外部から新たに取得したコンテンツデータを優先的に選択し、当該選択したコンテンツデータを上記第２の装置に対して転送する
ことを特徴とする請求項１に記載のコンテンツ転送方法。
【請求項９】
上記選択転送処理を実行する際に上記第１の装置は、上記第２の装置からのコンテンツ評価情報に基づいて、上記第２の装置が管理する記憶媒体に記憶されているコンテンツデータの中からユーザによる評価の低いコンテンツデータを認識し、当該認識したコンテンツデータを上記第２の装置が管理する記憶媒体から消去する
ことを特徴とする請求項１に記載のコンテンツ転送方法。
【請求項１０】
上記選択転送処理を実行する際に上記第１の装置は、上記第２の装置からの再生回数情報に基づいて、上記第２の装置が管理する記憶媒体に記憶されているコンテンツデータの中から再生回数が所定回数に達したコンテンツデータを認識し、当該認識したコンテンツデータを上記第２の装置が管理する記憶媒体から消去する
ことを特徴とする請求項１に記載のコンテンツ転送方法。
【請求項１１】
上記選択転送処理を実行する際に上記第１の装置は、ユーザの必須転送設定操作により指定されたコンテンツデータを上記第２の装置に対して転送し、ユーザの転送拒否設定操作により指定されたコンテンツデータを上記第２の装置に対して転送しないようにする
ことを特徴とする請求項１に記載のコンテンツ転送方法。
【請求項１２】
上記選択転送処理において上記第１の装置は、上記第２の装置が管理する記憶媒体の空記憶容量を認識し、当該認識した空記憶容量に総データ量が収まるようにコンテンツデータを選択し、当該選択したコンテンツデータを上記第２の装置に対して転送する
ことを特徴とする請求項１に記載のコンテンツ転送方法。
【請求項１３】
上記選択転送処理において上記第１の装置は、上記第２の装置が特定の再生モードに設定されている場合、上記第１の装置が管理する記憶媒体に記憶されている複数のコンテンツデータの中から上記特定の再生モードに対応する規定により複数のコンテンツデータを選択し、当該選択したコンテンツデータを上記第２の装置に対して転送する
ことを特徴とする請求項１に記載のコンテンツ転送方法。
【請求項１４】
上記選択転送処理において上記第１の装置は、上記第２の装置が順序無作為再生モードに設定されている場合、上記第１の装置が管理する記憶媒体に記憶されている複数のコンテンツデータの中から順序無作為で複数のコンテンツデータを選択し、当該選択したコンテンツデータを上記第２の装置に対して転送する
ことを特徴とする請求項１３に記載のコンテンツ転送方法。
【請求項１５】
上記選択転送処理において上記第１の装置は、上記第１の装置が管理する記憶媒体に記憶されている複数のコンテンツデータの中から順序無作為で複数のコンテンツデータを選択してユーザに提示し、当該提示した複数のコンテンツデータのうちユーザにより選択されたコンテンツデータを上記第２の装置に対して転送する
ことを特徴とする請求項１に記載のコンテンツ転送方法。
【請求項１６】
コンテンツデータを記憶する記憶手段と、
通信手段を介して接続される接続先装置が管理する記憶媒体の容量と、上記接続先装置に対して転送すべきコンテンツデータのデータ量とを比較する比較手段と、
上記比較手段により比較した結果、上記接続先装置が管理する記憶媒体の容量が上記接続先装置に対して転送すべきコンテンツデータのデータ量以上である場合、上記記憶手段に記憶されるコンテンツデータと上記接続先装置が管理する記憶媒体に記憶されるコンテンツデータとを同期させる同期手段と、
上記比較手段により比較した結果、上記接続先装置が管理する記憶媒体の容量が上記接続先装置に対して転送すべきコンテンツデータのデータ量より小さい場合、上記接続先装置が管理する記憶媒体に記憶されているコンテンツデータとは異なるコンテンツデータを優先的に選択して上記接続先装置に対して転送する選択転送手段と
を具えることを特徴とする転送装置。
【請求項１７】
コンピュータに対し、
通信手段を介して接続される接続先装置が管理する記憶媒体の容量と、上記接続先装置に対して転送すべきコンテンツデータのデータ量とを比較する比較ステップと、
上記比較ステップにより比較した結果、上記接続先装置が管理する記憶媒体の容量が上記接続先装置に対して転送すべきコンテンツデータのデータ量以上である場合、記憶媒体に記憶されるコンテンツデータと上記接続先装置が管理する記憶媒体に記憶されるコンテンツデータとを同期させる同期ステップと、
上記比較ステップにより比較した結果、上記接続先装置が管理する記憶媒体の容量が上記接続先装置に対して転送すべきコンテンツデータのデータ量より小さい場合、上記接続先装置が管理する記憶媒体に記憶されているコンテンツデータとは異なるコンテンツデータを優先的に選択して上記接続先装置に対して転送する選択転送ステップと
を実行させる転送プログラム。
【発明の詳細な説明】
【技術分野】
【０００１】
本発明はコンテンツ転送方法、その装置及びプログラムに関し、例えば、ユーザによって携帯されて使用される携帯再生装置に対して音楽データを転送する場合に適用して好適なものである。
【背景技術】
【０００２】
近年、音楽データを記憶するためのハードディスクドライブを内部に有する携帯再生装置が普及し始めている（例えば特許文献１参照）。
【０００３】
このような携帯再生装置は、インターネット等を介して取得した音楽データを転送する機能を有する転送装置に接続され、当該接続された転送装置から転送される音楽データを内部のハードディスクドライブに記憶する。因みにこの転送装置は、インターネットを介して音楽データを取得し得るようになされたパーソナルコンピュータやオーディオ機器等に相当する。
【０００４】
この後この携帯再生装置は、例えば、ユーザによって携帯されている際に再生操作が行われると、これに応じて内部のハードディスクドライブに記憶した音楽データを読み出して再生処理し、かくしてイヤホン等を介して音楽を放音するようになされている。
【特許文献１】特開2001-175624公報
【発明の開示】
【発明が解決しようとする課題】
【０００５】
ところで転送装置から携帯再生装置に対して音楽データを転送する際、ユーザは転送装置を操作して当該転送する音楽データをいちいち指定しなければならないので、音楽データを転送する転送作業が容易であるとは言い難い問題があった。
【０００６】
本発明は以上の点を考慮してなされたもので、コンテンツデータの転送作業を格段と容易にし得るコンテンツ転送システムを提案しようとするものである。
【課題を解決するための手段】
【０００７】
かかる課題を解決するため本発明においては、コンテンツ転送方法において、第１の装置に通信手段を介して接続される第２の装置が管理する記憶媒体の容量が、第１の装置から第２の装置に対して転送すべきコンテンツデータのデータ量以上である場合、第１の装置は、第１の装置に記憶されるコンテンツデータと第２の装置が管理する記憶媒体に記憶されるコンテンツデータとを同期させる同期処理を実行し、第２の装置が管理する記憶媒体の容量が、第１の装置から第２の装置に対して転送すべきコンテンツデータのデータ量より小さい場合、第１の装置は、第２の装置が管理する記憶媒体に記憶されているコンテンツデータとは異なるコンテンツデータを優先的に選択して第２の装置に対して転送する選択転送処理を実行するようにした。
【０００８】
このように第１の装置は、第２の装置が管理する記憶媒体の容量が第２の装置に対して転送すべきコンテンツデータのデータ量以上である場合、第１の装置に記憶されるコンテンツデータと第２の装置が管理する記憶媒体に記憶されるコンテンツデータとを同期させる同期処理を実行し、第２の装置が管理する記憶媒体の容量が第２の装置に対して転送すべきコンテンツデータのデータ量より小さい場合、第２の装置が管理する記憶媒体に記憶されているコンテンツデータとは異なるコンテンツデータを優先的に選択して第２の装置に対して転送する選択転送処理を実行するようにしたことにより、ユーザは転送する音楽データをいちいち指定しなくて良い。
【発明の効果】
【０００９】
本発明によれば、第１の装置は、第２の装置が管理する記憶媒体の容量が第２の装置に対して転送すべきコンテンツデータのデータ量以上である場合、第１の装置に記憶されるコンテンツデータと第２の装置が管理する記憶媒体に記憶されるコンテンツデータとを同期させる同期処理を実行し、第２の装置が管理する記憶媒体の容量が第２の装置に対して転送すべきコンテンツデータのデータ量より小さい場合、第２の装置が管理する記憶媒体に記憶されているコンテンツデータとは異なるコンテンツデータを優先的に選択して第２の装置に対して転送する選択転送処理を実行するようにしたことにより、ユーザは転送する音楽データをいちいち指定しなくて良く、この結果コンテンツデータの転送作業を格段と容易にすることができる。
【発明を実施するための最良の形態】
【００１０】
以下図面について、本発明の一実施の形態を詳述する。
【００１１】
（１）音楽転送システムの構成
図１において、１は全体として音楽転送システムを示し、外部から取得した音楽データを携帯再生装置５に対して転送する転送装置２と、当該転送装置２に接続線３及び接続台４（いわゆるクレードル）を順次介して接続する携帯再生装置５とを有する。本実施の形態の場合この転送装置２は、音楽データを再生する機能や音楽データを録音する機能等を有するオーディオ機器に相当する。
【００１２】
例えばこの転送装置２の操作部６（図２）に対して、音楽提供サーバ７から例えば１曲分の音楽データを取得するための音楽データ取得操作が行われると、これに応じてこの転送装置２全体を統括的に制御するＣＰＵ（Central Processing Unit）８は、当該音楽データ取得操作に応じた音楽データを要求するための音楽データ要求信号を、通信処理部９、ネットワークインターフェース１０及びインターネット１１を順次介して音楽提供サーバ７に対して送信する。この音楽データ要求信号を受信した音楽提供サーバ７は、この音楽データ要求信号により要求された音楽データを、インターネット１１を介して転送装置２に対して送信する。このとき転送装置２は、音楽提供サーバ７からの音楽データをネットワークインターフェース１０及び通信処理部９を順次介して受信し、当該受信した音楽データをハードディスクドライブ１２に記憶する。このようにしてこの転送装置２は、音楽提供サーバ７から音楽データを取得することができる。
【００１３】
またこの転送装置２の操作部６に対して、ＣＤ（Compact Disc）に記録されている音楽データを取得するための音楽データ取得操作が行われると、これに応じて転送装置２のＣＰＵ８はＣＤが挿入されているメディアドライブ部１３を制御することにより、このＣＤから音楽データを読み出し、当該読み出した音楽データをハードディスクドライブ１２に記憶する。このようにしてこの転送装置２は、ＣＤから音楽データを取得することができる。因みに以下では、１つの音楽データは音楽１曲分に相当するものとして説明する。
【００１４】
ここで本実施の形態の場合、音楽提供サーバ７やＣＤから取得される音楽データには１曲ごとに属性情報が対応付けられている。この属性情報には、その音楽のタイトルを示すタイトル情報や、その音楽が収録されているアルバムを識別するためのアルバム識別情報や、その音楽がアルバムにおいて何曲目に収録されているかを示す収録曲順情報や、その音楽を演奏しているアーティストを識別するためのアーティスト識別情報や、その音楽のジャンル（例えば、ポップス、ジャズ、クラシック等）を識別するためのジャンル識別情報等が示されている。因みにここでいうアルバムとは、例えば、１枚のＣＤ作品として市販されている単位を意味する。
【００１５】
これによりこの転送装置２のＣＰＵ８は、ハードディスクドライブ１２に記憶している複数の音楽データを、各音楽データに対応付けられている属性情報に基づいて、例えばアルバムごとのグループ（以下、これをアルバムグループと呼ぶ）に分類することができる。この結果この転送装置２のＣＰＵ８は、図３に一例として示すように、かかる分類結果に基づいて各音楽データのタイトルをアルバムグループＡＧ１、２、３、……ごとに表示部１４に表示することができる。この際この転送装置２のＣＰＵ８は、アルバムグループＡＧ１、２、３、……ごとに分類表示された音楽データのタイトルを、例えばそのアルバムの収録曲順で表示するようになされている。
【００１６】
またこの転送装置２のＣＰＵ８は、例えばユーザの操作に応じて、複数のアルバムグループＡＧ１、２、３、……のうち第１のアルバムグループＡＧ１を第１のフォルダＦＤ１に従属させ、第２及び第３のアルバムグループＡＧ１、２を第２のフォルダＦＤ２に従属させて管理する。このようにしてこの転送装置２は、複数のアルバムグループＡＧ１、２、３、……をユーザ任意の管理単位で分類して管理することができる。因みに以下では、このようにフォルダＦＤ１、２、……を用いて音楽データのタイトルを分類して表示するモードを、フォルダ分類表示モードと呼ぶ。
【００１７】
そして、このようにフォルダごとに分類表示された複数のタイトルのうちの一のタイトルを指定してこれを再生させる再生操作が操作部６に対して行われると、このとき転送装置２のＣＰＵ８は、当該指定されたタイトルに対応する音楽データをハードディスクドライブ１２から読み出して再生処理し、この結果得られた音楽信号を音声処理部１５に供給する。これにより音声処理部１５は、当該供給された音楽信号に基づく音楽をスピーカ１６から放音するようになされている。
【００１８】
またこの転送装置２の操作部６に対して、音楽データのタイトルをアーティストごとに表示するための操作が行われると、これに応じてこの転送装置２のＣＰＵ８は、ハードディスクドライブ１２に記憶している複数の音楽データを、各音楽データに対応付けられている属性情報に基づいて、例えばアーティストごとに分類することもできる。この結果この転送装置２のＣＰＵ８は、かかる分類結果に基づいて各音楽データのタイトルをアーティストごとに表示部１４に表示することができる。この際この転送装置２のＣＰＵ８は、アーティストごとに分類表示された音楽データのタイトルを、例えばその音楽データが取得されたデータ取得順で表示するようになされている。因みに以下では、このようにアーティストごとに音楽データのタイトルを分類して表示するモードを、アーティスト分類表示モードと呼ぶ。
【００１９】
またこの転送装置２のＣＰＵ８は、ハードディスクドライブ１２に記憶している複数の音楽データを、各音楽データに対応付けられている属性情報に基づいて、例えばジャンルごとに分類して表示部１４に表示することもできる。この際この転送装置２のＣＰＵ８は、ジャンルごとに分類表示された音楽データのタイトルを、例えばその音楽データが取得されたデータ取得順で表示するようになされている。因みに以下では、このようにジャンルごとに音楽データのタイトルを分類して表示するモードを、ジャンル分類表示モードと呼ぶ。
【００２０】
またこの転送装置２のＣＰＵ８は、ハードディスクドライブ１２に記憶している各音楽データが再生された回数を再生回数情報としてハードディスクドライブ１２に記憶している。これによりこの転送装置２の操作部６に対して、再生回数の多い音楽データのタイトルを優先的に表示させるためのアクセストップ表示操作が行われると、これに応じて転送装置２のＣＰＵ８は、ハードディスクドライブ１２に記憶している再生回数情報に基づいて、ハードディスクドライブ１２に記憶している各音楽データのタイトルを、再生回数の多いものから順に表示部１４に表示する。またこの転送装置２の操作部６に対して、再生回数の少ない音楽データのタイトルを優先的に表示させるためのアクセスボトム表示操作が行われると、これに応じて転送装置２のＣＰＵ８は、ハードディスクドライブ１２に記憶している再生回数情報に基づいて、ハードディスクドライブ１２に記憶している各音楽データのタイトルを、再生回数の少ないものから順に表示部１４に表示する。因みに以下では、このように再生回数が多い順に音楽データのタイトルを表示するモードを、アクセストップ表示モードと呼び、再生回数が少ない順に音楽データのタイトルを表示するモードを、アクセスボトム表示モードと呼ぶ。
【００２１】
またこの転送装置２のＣＰＵ８は、ハードディスクドライブ１２に記憶している各音楽データが再生された日時を再生日時情報としてハードディスクドライブ１２に記憶している。これによりこの転送装置２の操作部６に対して、最近再生された音楽データのタイトルを優先的に表示させるための操作が行われると、これに応じて転送装置２のＣＰＵ８は、ハードディスクドライブ１２に記憶している再生日時情報に基づいて、ハードディスクドライブ１２に記憶している各音楽データのタイトルを、最近再生されたものから順に表示部１４に表示する。因みに以下では、このように最近再生された音楽データのタイトルから順に表示するモードを、最近再生音楽優先表示モードと呼ぶ。
【００２２】
またこの転送装置２のＣＰＵ８は、ハードディスクドライブ１２に記憶している各音楽データの取得（録音）された日時を録音日時情報としてハードディスクドライブ１２に記憶している。これによりこの転送装置２の操作部６に対して、最近録音された音楽データのタイトルを優先的に表示させるための操作が行われると、これに応じて転送装置２のＣＰＵ８は、ハードディスクドライブ１２に記憶している録音日時情報に基づいて、ハードディスクドライブ１２に記憶している各音楽データのタイトルを、最近録音されたものから順に表示部１４に表示する。因みに以下では、このように最近録音された音楽データのタイトルから順に表示するモードを、最近録音音楽優先表示モードと呼ぶ。
【００２３】
またこの転送装置２のＣＰＵ８は、ユーザにより操作部６を介してお気に入りリスト表示操作が行われると、ユーザにより予め指定された音楽データのタイトルをユーザ任意の順番で並べてなるお気に入りリストを表示部１４に表示することもできる。因みに以下では、このようにお気に入りリストを表示するモードを、お気に入りリスト表示モードと呼ぶ。
【００２４】
またこの転送装置２のＣＰＵ８は、ユーザにより操作部６を介して、音楽提供サーバ７から取得した音楽データのタイトルだけを表示させるためのサーバ取得音楽表示操作が行われると、ハードディスクドライブ１２に記憶している音楽データのうち、音楽提供サーバ７から取得した音楽データのタイトルだけを、例えばその音楽データが取得されたデータ取得順で表示部１４に表示することもできる。因みに以下では、このように音楽提供サーバ７から取得した音楽データのタイトルだけを表示するモードを、サーバ取得音楽表示モードと呼ぶ。
【００２５】
ところでこの転送装置２のＣＰＵ８は、操作部６として設けられている転送ボタン６Ａが押下操作されると、これに応じてハードディスクドライブ１２に記憶している音楽データの中から、予め設定された転送設定情報に基づいて複数の音楽データを自動的に選択し、当該選択した複数の音楽データを、音楽データ転送部１７及び接続線３を順次介して接続台４に載置されている携帯再生装置５に対して転送する自動転送処理（おまかせ転送処理）を実行するようになされている。なお、この自動転送処理の詳細については後に説明する。
【００２６】
接続台４に載置された携帯再生装置５（図４）は、転送装置２から接続線３及び接続台４を順次介して転送される音楽データを音楽データ受信部１８により受信し、当該受信した音楽データを内部のハードディスクドライブ１９に記憶する。
【００２７】
この後この携帯再生装置５全体を統括的に制御するＣＰＵ２０は、ユーザによって携帯されている際に操作部２１を介して音楽タイトル表示操作が行われると、内部のハードディスクドライブ１９に記憶している音楽データの属性情報に基づいて、記憶している音楽データのタイトルを表示部２２に表示する。
【００２８】
そしてこの携帯再生装置５の操作部２１に対して、表示部２２に表示されている音楽データのタイトルを指定してこれを再生させる再生操作が行われると、これに応じて携帯再生装置５のＣＰＵ２０は当該指定されたタイトルに対応する音楽データをハードディスクドライブ１９から読み出して再生処理し、この結果得られた音楽信号を音声処理部２３に対して供給する。これによりこの音声処理部２３は、当該供給された音楽信号に基づく音楽をイヤホン２４から放音する。
【００２９】
（２）自動転送処理
転送装置２のＣＰＵ８は、自動転送処理の設定を開始する設定開始操作が操作部６を介して行われると、これに応じて図５に示すような転送設定画面ＳＣ１を表示部１４に表示する。この転送設定画面ＳＣ１では、転送モードをユーザに指定させるための転送モード選択リストＬ１が表示される。これによりユーザは、転送装置２の操作部６を介して、一巡転送モード、シャッフル転送モード、……等の中から一の転送モードを選択することができる。以下では、これら転送モードをそれぞれ説明する。
【００３０】
（２−１）一巡転送モード
転送装置２の操作部６に対して、転送設定画面ＳＣ１中の転送モード選択リストＬ１の中から例えば「一巡転送モード」を選択するための操作が行われると、これに応じて転送装置２のＣＰＵ８は、例えば図５に示すようにして、一巡転送範囲をユーザに選択させるための一巡転送範囲選択リストＬ２を表示する。次いで転送装置２の操作部６に対して、一巡転送範囲選択リストＬ２の中から例えば「フォルダ」を選択する操作が行われると、これに応じて転送装置２のＣＰＵ８は、転送対象フォルダ名をユーザに入力させるための入力欄Ｉ１を表示部１４に表示する。そして転送装置２の操作部６に対して、入力欄Ｉ１に転送対象フォルダ名として例えば「第２のフォルダ」を入力するための操作が行われると、これに応じて転送装置２のＣＰＵ８は、転送モードとして「一巡転送モード」が設定された旨と、一巡転送範囲として「フォルダ」が設定された旨と、転送対象フォルダとして「第２のフォルダ」が設定された旨とを示した転送設定情報を生成し、当該生成した転送設定情報をハードディスクドライブ１２に記憶する。
【００３１】
この後、携帯再生装置５が接続台４に載置された状態で転送装置２の転送ボタン６Ａが押下操作されると、これに応じて転送装置２のＣＰＵ８は、ハードディスクドライブ１２に記憶された転送設定情報を参照し、これにより転送モードとして「一巡転送モード」が設定されている旨と、一巡転送範囲として「フォルダ」が設定されている旨と、転送対象フォルダとして「第２のフォルダ」が設定されている旨とを認識する。この認識結果に基づいて転送装置２のＣＰＵ８は、図３に示したフォルダ分類表示モード時において第２のフォルダＦＤ２下にタイトルが従属するように表示される複数の音楽データのうち、タイトルが表示されているタイトル表示順に所定曲数（例えば、１曲目からＮ曲目）の音楽データを選択し、当該選択した所定曲数分の音楽データを携帯再生装置５に対して自動的に転送する。またこの際この転送装置２のＣＰＵ８は、フォルダ分類表示モード時において第２のフォルダＦＤ２下にタイトルが従属するように表示される複数の音楽データのうち、今回転送した音楽データを含む転送済み音楽データを除いた場合にタイトル表示順で一番最初となる音楽データを次回転送開始音楽データとして認識し、当該認識した次回転送開始音楽データを識別するための次回転送開始音楽データ識別情報をハードディスクドライブ１２に記憶する。
【００３２】
やがて、接続台４から一度取り外された携帯再生装置５が接続台４に再度載置され、この状態で転送装置２の転送ボタン６Ａが押下操作されると、これに応じて転送装置２のＣＰＵ８は、ハードディスクドライブ１２に記憶された転送設定情報を参照することにより、転送モード「一巡転送モード」、一巡転送範囲「フォルダ」、及び転送対象フォルダ「第２のフォルダ」が設定されている旨を認識する。またこのとき転送装置２のＣＰＵ８は、ハードディスクドライブ１２に記憶している次回転送開始音楽データ識別情報を参照することにより、次回転送開始音楽データを認識する。そして転送装置２のＣＰＵ８は、フォルダ分類表示モード時において第２のフォルダＦＤ２下にタイトルが従属するように表示される複数の音楽データのうち、認識した次回転送開始音楽データからタイトル表示順に所定曲数（例えば、Ｎ＋１曲目から２Ｎ曲目）の音楽データを選択し、当該選択した所定曲数分の音楽データを携帯再生装置５に対して自動的に転送する。またこの際もこの転送装置２のＣＰＵ８は、フォルダ分類表示モード時において第２のフォルダＦＤ２下にタイトルが従属するように表示される複数の音楽データのうち、今回転送したものを含む転送済み音楽データを除いた場合にタイトル表示順で一番最初となる音楽データを次回転送開始音楽データとして認識し、当該認識結果に基づいてハードディスクドライブ１２に記憶されている次回転送開始音楽データ識別情報を更新するようになされている。
【００３３】
このように一巡転送モードに設定されている転送装置２は、携帯再生装置５が接続台４に載置された状態で転送ボタン６Ａを押下する転送ボタン押下操作が行われる度に、ユーザにより指定された第２のフォルダＦＤ２に従属している複数の音楽データのうち、既に転送されたことのある転送済みの音楽データを除く所定曲数の音楽データをタイトル表示順に選択し、当該選択した音楽データを接続線３及び接続台４を介して携帯再生装置５に対し自動転送するようにした。これによりユーザは、携帯再生装置５を接続台４に載置する度に転送装置２の転送ボタン６Ａを押下する押下操作を行うだけで、予め指定しておいた第２のフォルダＦＤ２下に従属する複数の音楽データを、タイトル表示順で一通り携帯再生装置５に転送させることができ、かくして音楽データの転送作業を容易にすることができる。
【００３４】
またこの一巡転送モードに設定されている転送装置２は、例えば、一巡転送範囲として「フォルダ」ではなく「アーティスト」が設定され、また転送対象アーティストとして「アフロスミス」が設定されている場合、転送ボタン押下操作が行われる度に、アーティスト分類表示モード時にタイトルがアーティスト「アフロスミス」に分類されて表示される複数の音楽データのうち、既に転送されたことのある転送済みの音楽データを除く所定曲数の音楽データをアーティスト分類表示モード時のタイトル表示順で選択し、当該選択した音楽データを接続線３及び接続台４を介して携帯再生装置５に対し自動転送するようになされている。
【００３５】
またこの一巡転送モードに設定されている転送装置２は、例えば、一巡転送範囲として「ジャンル」が設定され、また転送対象ジャンルとして「ロック」が設定されている場合、転送ボタン押下操作が行われる度に、ジャンル分類表示モード時にタイトルがジャンル「ロック」に分類されて表示される複数の音楽データのうち、既に転送されたことのある転送済みの音楽データを除く所定曲数の音楽データをジャンル分類表示モード時のタイトル表示順で選択し、当該選択した音楽データを接続線３及び接続台４を介して携帯再生装置５に対し自動転送するようになされている。
【００３６】
またこの一巡転送モードに設定されている転送装置２は、例えば、一巡転送範囲として「アクセストップ」が設定されている場合、転送ボタン押下操作が行われる度に、アクセストップ表示モード時にタイトルが表示される複数の音楽データのうち、既に転送されたことのある転送済みの音楽データを除く所定曲数の音楽データをアクセストップ表示モード時のタイトル表示順で選択し、当該選択した音楽データを接続線３及び接続台４を介して携帯再生装置５に対し自動転送するようになされている。
【００３７】
またこの一巡転送モードに設定されている転送装置２は、例えば、一巡転送範囲として「アクセスボトム」が設定されている場合、転送ボタン押下操作が行われる度に、アクセスボトム表示モード時にタイトルが表示される複数の音楽データのうち、既に転送されたことのある転送済みの音楽データを除く所定曲数の音楽データをアクセスボトム表示モード時のタイトル表示順で選択し、当該選択した音楽データを接続線３及び接続台４を介して携帯再生装置５に対し自動転送するようになされている。
【００３８】
またこの一巡転送モードに設定されている転送装置２は、例えば、一巡転送範囲として「最近再生した曲」が設定されている場合、転送ボタン押下操作が行われる度に、最近再生音楽優先表示モード時にタイトルが表示される複数の音楽データのうち、既に転送されたことのある転送済みの音楽データを除く所定曲数の音楽データを最近再生音楽優先表示モード時のタイトル表示順で選択し、当該選択した音楽データを接続線３及び接続台４を介して携帯再生装置５に対し自動転送するようになされている。
【００３９】
またこの一巡転送モードに設定されている転送装置２は、例えば、一巡転送範囲として「お気に入りリスト」が設定されている場合、転送ボタン押下操作が行われる度に、お気に入りリスト表示モード時にタイトルが表示される複数の音楽データのうち、既に転送されたことのある転送済みの音楽データを除く所定曲数の音楽データをお気に入りリスト表示モード時のタイトル表示順で選択し、当該選択した音楽データを接続線３及び接続台４を介して携帯再生装置５に対し自動転送するようになされている。
【００４０】
またこの一巡転送モードに設定されている転送装置２は、例えば、一巡転送範囲として「サーバ取得音楽」が設定されている場合、転送ボタン押下操作が行われる度に、サーバ取得音楽表示モード時にタイトルが表示される複数の音楽データのうち、既に転送されたことのある転送済みの音楽データを除く所定曲数の音楽データをサーバ取得音楽表示モード時のタイトル表示順で選択し、当該選択した音楽データを接続線３及び接続台４を介して携帯再生装置５に対し自動転送するようになされている。
【００４１】
次に図６に示すフローチャートを用いて、この一巡転送モード時の自動転送処理手順ＲＴａ１を説明する。
【００４２】
携帯再生装置５が接続台４に再度載置された状態で転送装置２の転送ボタン６Ａが押下操作されると、これに応じて転送装置２のＣＰＵ８はステップＳＰ１に進み、ハードディスクドライブ１２に記憶された転送設定情報を参照することにより、例えば、転送モード「一巡転送モード」、一巡転送範囲「フォルダ」、及び転送対象フォルダ「第２のフォルダ」が設定されている旨を認識する。
【００４３】
次いでこの転送装置２のＣＰＵ８はステップＳＰ２に進み、ハードディスクドライブ１２に記憶されている次回転送開始音楽データ識別情報を参照することにより、次回転送開始音楽データを認識する。
【００４４】
続いて転送装置２のＣＰＵ８はステップＳＰ３に進み、フォルダ分類表示モード時において第２のフォルダＦＤ２にタイトルが従属するように表示される複数の音楽データのうち、認識した次回転送開始音楽データからタイトル表示順に所定曲数の音楽データを選択する。
【００４５】
そして転送装置２のＣＰＵ８はステップＳＰ４に進み、当該選択した所定曲数分の音楽データを、接続線３及び接続台４を介して携帯再生装置５に対して転送する。
【００４６】
次にこの転送装置２のＣＰＵ８はステップＳＰ５に進み、フォルダ分類表示モード時において第２のフォルダＦＤ２下にタイトルが従属するように表示される複数の音楽データのうち、今回転送したものを含む転送済み音楽データを除いた場合にタイトル表示順で一番最初となる音楽データを次回転送開始音楽データとして認識し、当該認識結果に基づいてハードディスクドライブ１２に記憶されている次回転送開始音楽データ識別情報を更新した後、終了ステップＳＰ６に移って自動転送処理手順ＲＴａ１を終了する。
【００４７】
以上の構成においてこの転送装置２は、携帯再生装置５が接続台４に載置された状態で転送装置２の転送ボタン６Ａが押下操作されると、ハードディスクドライブ１２に記憶されている複数の音楽データのうち既に転送された転送済みの音楽データを除く音楽データの中から所定順序で複数の音楽データを選択し、当該選択した音楽データを携帯再生装置５に対して自動的に転送する。
【００４８】
これによりユーザは、携帯再生装置５に転送する音楽データを指定するような作業を行わなくて良く、この結果音楽データの転送作業を格段と容易にすることができる。
【００４９】
以上の構成によればこの転送装置２は、ハードディスクドライブ１２に記憶されている複数の音楽データのうち既に転送された転送済みの音楽データを除く音楽データの中から所定順序で複数の音楽データを選択し、当該選択した音楽データを携帯再生装置５に対して自動的に転送するようにしたことにより、携帯再生装置５に転送する音楽データを指定するような作業をユーザに行わせなくて済み、この結果音楽データの転送作業を格段と容易にすることができる。
【００５０】
因みにこの場合この転送装置２は、転送ボタン６Ａが押下操作されると、これに応じて所定曲数分の音楽データをタイトル表示順で選択し、当該選択した所定曲数分の音楽データを携帯再生装置５に対して転送するようにしたが、本発明はこれに限らず、例えば次に説明するような手法を採用しても良い。つまりこの手法を採用した転送装置２は、転送ボタン６Ａが押下操作されると、これに応じて接続線３及び接続台４を介して携帯再生装置５にアクセスし、これによりこの携帯再生装置５の内部に設けられたハードディスクドライブ１９の空記憶容量を認識する。そしてこの転送装置２は、当該認識した空記憶容量の範囲内に収まる曲数分の音楽データをタイトル表示順で選択し、これを携帯再生装置５に対して転送するようになされている。
【００５１】
（２−２）シャッフル転送モード
転送装置２の操作部６に対して、転送設定画面ＳＣ１中の転送モード選択リストＬ１の中から「シャッフル転送モード」を選択する操作が行われると、これに応じて転送装置２のＣＰＵ８は、例えば図７に示すようにして、シャッフル転送範囲をユーザに指定させるためのシャッフル転送範囲選択リストＬ３を表示する。次いで転送装置２の操作部６に対して、シャッフル転送範囲選択リストＬ３の中から「アーティスト」を選択する操作が行われると、これに応じて転送装置２のＣＰＵ８は、転送対象アーティスト名をユーザに入力させるための入力欄Ｉ２を表示部１４に表示する。そして転送装置２の操作部６に対して、入力欄Ｉ２に転送対象アーティスト名として例えば「アフロスミス」を入力する操作が行われると、これに応じて転送装置２のＣＰＵ８は、転送モードとして「シャッフル転送モード」が設定された旨と、シャッフル転送範囲として「アーティスト」が設定された旨と、転送対象アーティストとして「アフロスミス」が設定された旨とを示した転送設定情報を生成し、当該生成した転送設定情報をハードディスクドライブ１２に記憶する。
【００５２】
この後、携帯再生装置５が接続台４に載置された状態で転送装置２の転送ボタン６Ａが押下操作されると、これに応じて転送装置２のＣＰＵ８は、ハードディスクドライブ１２に記憶された転送設定情報を参照し、これにより転送モードとして「シャッフル転送モード」が設定されている旨と、シャッフル転送範囲として「アーティスト」が設定されている旨と、転送対象アーティストとして「アフロスミス」が設定されている旨とを認識する。この認識結果に基づいて転送装置２のＣＰＵ８は、アーティスト分類表示モード時にタイトルがアーティスト「アフロスミス」に分類されて表示される複数の音楽データの中から、順序無作為（ランダム）に所定曲数分の音楽データを選択し、当該選択した所定曲数分の音楽データを携帯再生装置５に対して自動的に転送する。またこの際この転送装置２のＣＰＵ８は、今回転送した音楽データを履歴として認識しておくための転送履歴情報をハードディスクドライブ１２に記憶する。
【００５３】
やがて、接続台４から一度取り外された携帯再生装置５が接続台４に再度載置され、この状態で転送装置２の転送ボタン６Ａが押下操作されると、これに応じて転送装置２のＣＰＵ８は、ハードディスクドライブ１２に記憶された転送設定情報を参照することにより、転送モード「シャッフル転送モード」、シャッフル転送範囲「アーティスト」、及び転送対象アーティスト「アフロスミス」が設定されている旨を認識する。またこのとき転送装置２のＣＰＵ８は、ハードディスクドライブ１２に記憶された転送履歴情報を参照することにより、既に転送したことのある転送済み音楽データを認識する。そして転送装置２のＣＰＵ８は、アーティスト分類表示モード時にタイトルがアーティスト「アフロスミス」に分類されて表示される複数の音楽データのうち、認識した転送済み音楽データを除く音楽データの中から、順序無作為に所定曲数分の音楽データを選択し、当該選択した所定曲数分の音楽データを携帯再生装置５に対して自動的に転送する。またこの際この転送装置２のＣＰＵ８は、今回転送した音楽データも履歴として含めるように、ハードディスクドライブ１２に記憶している転送履歴情報を更新する。
【００５４】
このようにシャッフル転送モードに設定されている転送装置２は、携帯再生装置５が接続台４に載置された状態で転送ボタン６Ａを押下する転送ボタン押下操作が行われる度に、ユーザにより指定されたアーティスト「アフロスミス」にタイトルが分類されて表示される複数の音楽データのうち、既に転送されたことのある転送済みの音楽データを除く所定曲数の音楽データを順序無作為で選択し、当該選択した音楽データを接続線３及び接続台４を介して携帯再生装置５に対し自動転送するようにした。これによりユーザは、携帯再生装置５を接続台４に載置する度に転送ボタン押下操作を行うだけで、予め指定しておいたアーティスト「アフロスミス」に分類される音楽データを、順序無作為で一通り携帯再生装置５に転送させることができ、かくして音楽データの転送作業を容易にすることができる。
【００５５】
またこのシャッフル転送モードに設定されている転送装置２は、例えばシャッフル転送範囲として「アーティスト」ではなく「ジャンル」が設定され、また転送対象ジャンルとして「ロック」が設定されている場合、転送ボタン押下操作が行われる度に、ジャンル分類表示モード時にタイトルがジャンル「ロック」に分類されて表示される複数の音楽データのうち、既に転送されたことのある転送済みの音楽データを除く所定曲数の音楽データを順序無作為で選択し、当該選択した音楽データを接続線３及び接続台４を介して携帯再生装置５に対し自動転送するようになされている。
【００５６】
またこのシャッフル転送モードに設定されている転送装置２は、例えばシャッフル転送範囲として「サーバ取得音楽」が設定されている場合、転送ボタン押下操作が行われる度に、サーバ取得音楽表示モード時にタイトルが表示される複数の音楽データのうち、既に転送されたことのある転送済みの音楽データを除く所定曲数の音楽データを順序無作為で選択し、当該選択した音楽データを接続線３及び接続台４を介して携帯再生装置５に対し自動転送するようになされている。
【００５７】
またこのシャッフル転送モードに設定されている転送装置２は、例えばシャッフル転送範囲として「最近録音した曲」が設定されている場合、転送ボタン押下操作が行われる度に、最近録音音楽優先表示モード時にタイトルが表示される複数の音楽データのうち、既に転送されたことのある転送済みの音楽データを除く所定曲数の音楽データを順序無作為で選択し、当該選択した音楽データを接続線３及び接続台４を介して携帯再生装置５に対し自動転送するようになされている。
【００５８】
次に図８に示すフローチャートを用いて、このシャッフル転送モード時の自動転送処理手順ＲＴａ２を説明する。
【００５９】
携帯再生装置５が接続台４に載置された状態で転送装置２の転送ボタン６Ａが押下操作されると、これに応じて転送装置２のＣＰＵ８はステップＳＰ１１に進み、ハードディスクドライブ１２に記憶された転送設定情報を参照することにより、例えば、転送モード「シャッフル転送モード」、シャッフル転送範囲「アーティスト」、及び転送対象アーティスト「アフロスミス」が設定されている旨を認識する。
【００６０】
次いでこの転送装置２のＣＰＵ８はステップＳＰ１２に進み、ハードディスクドライブ１２に記憶されている転送履歴情報を参照することにより、既に転送したことのある転送済み音楽データを認識する。
【００６１】
続いて転送装置２のＣＰＵ８はステップＳＰ１３に進み、アーティスト分類表示モード時にタイトルがアーティスト「アフロスミス」に分類されて表示される複数の音楽データのうち、認識した転送済み音楽データを除く音楽データの中から、順序無作為に所定曲数分の音楽データを選択する。
【００６２】
そして転送装置２のＣＰＵ８はステップＳＰ１４に進み、当該選択した所定曲数分の音楽データを、接続線３及び接続台４を介して携帯再生装置５に対して転送する。
【００６３】
次にこの転送装置２のＣＰＵ８はステップＳＰ１５に進み、今回転送した音楽データも履歴として含めるように、ハードディスクドライブ１２に記憶している転送履歴情報を更新した後、終了ステップＳＰ１６に移って自動転送処理手順ＲＴａ２を終了する。
【００６４】
以上の構成においてこの転送装置２は、携帯再生装置５が接続台４に載置された状態で転送装置２の転送ボタン６Ａが押下操作されると、ハードディスクドライブ１２に記憶されている複数の音楽データのうち既に転送された転送済みの音楽データを除く音楽データの中から順序無作為で複数の音楽データを選択し、当該選択した音楽データを携帯再生装置５に対して転送する。
【００６５】
これによりユーザは、携帯再生装置５に転送する音楽データを指定するような作業を行わなくて良く、この結果音楽データの転送作業を格段と容易にすることができる。
【００６６】
以上の構成によればこの転送装置２は、ハードディスクドライブ１２に記憶されている複数の音楽データのうち既に転送された転送済みの音楽データを除く音楽データの中から順序無作為で複数の音楽データを選択し、当該選択した音楽データを携帯再生装置５に対して自動的に転送するようにしたことにより、携帯再生装置５に転送する音楽データを指定するような作業をユーザに行わせなくて済み、この結果音楽データの転送作業を格段と容易にすることができる。
【００６７】
因みにこの場合この転送装置２は、転送ボタン６Ａが押下操作されると、これに応じて所定曲数分の音楽データを順序無作為で選択し、当該選択した所定曲数分の音楽データを携帯再生装置５に対して転送するようにしたが、本発明はこれに限らず、例えば次に説明するような手法を採用しても良い。つまりこの手法を採用した転送装置２は、転送ボタン６Ａが押下操作されると、これに応じて接続線３及び接続台４を介して携帯再生装置５にアクセスし、これによりこの携帯再生装置５の内部に設けられたハードディスクドライブ１９の空記憶容量を認識する。そしてこの転送装置２は、当該認識した空記憶容量の範囲内に収まる曲数分の音楽データを順序無作為で選択し、これを携帯再生装置５に対して転送するようになされている。
【００６８】
（２−３）オムニバス転送モード
転送装置２の操作部６に対して、転送設定画面ＳＣ１中の転送モード選択リストＬ１の中から「オムニバス転送モード」を選択するための操作が行われると、これに応じて転送装置２のＣＰＵ８は、転送モードとして「オムニバス転送モード」が設定された旨を示した転送設定情報を生成し、当該生成した転送設定情報をハードディスクドライブ１２に記憶する。
【００６９】
この後、携帯再生装置５が接続台４に載置された状態で転送装置２の転送ボタン６Ａが押下操作されると、これに応じて転送装置２のＣＰＵ８は、ハードディスクドライブ１２に記憶された転送設定情報を参照し、これにより転送モードとして「オムニバス転送モード」が設定されている旨を認識する。この認識結果に応じて転送装置２のＣＰＵ８は、まず、ハードディスクドライブ１２に記憶されている音楽データを、各音楽データに対応付けられている属性情報に基づいて、アーティストごとに分類する。そしてこの転送装置２のＣＰＵ８は、アーティストごとに分類された複数の音楽データの中から、各アーティストの音楽データを１曲分ずつ選択し、当該選択した音楽データを接続線３及び接続台４を順次介して携帯再生装置５に対し自動的に転送する。またこの際この転送装置２のＣＰＵ８は、今回転送した音楽データを履歴として認識しておくための転送履歴情報をハードディスクドライブ１２に記憶する。
【００７０】
やがて、接続台４から一度取り外された携帯再生装置５が接続台４に再度載置され、この状態で転送装置２の転送ボタン６Ａが押下操作されると、これに応じて転送装置２のＣＰＵ８は、ハードディスクドライブ１２に記憶された転送設定情報を参照することにより、転送モードとして「オムニバス転送モード」が設定されている旨を認識する。またこのとき転送装置２のＣＰＵ８は、ハードディスクドライブ１２に記憶された転送履歴情報を参照することにより、既に転送したことのある転送済み音楽データを認識する。そして転送装置２のＣＰＵ８は、アーティストごとに分類された複数の音楽データの中から、転送済み音楽データを除いて各アーティストの音楽データを１曲分ずつ選択し、当該選択した音楽データを接続線３及び接続台４を順次介して携帯再生装置５に対して転送する。またこの際この転送装置２のＣＰＵ８は、今回転送した音楽データも履歴として含めるように、ハードディスクドライブ１２に記憶している転送履歴情報を更新する。
【００７１】
このようにオムニバス転送モードに設定されている転送装置２は、携帯再生装置５が接続台４に載置された状態で転送ボタン６Ａを押下する転送ボタン押下操作が行われる度に、アーティストごとに分類された複数の音楽データの中から、転送済み音楽データを除いて各アーティストの音楽データを１曲分ずつ選択し、当該選択した音楽データを接続線３及び接続台４を順次介して携帯再生装置５に対して自動的に転送する。これによりユーザは、携帯再生装置５を接続台４に載置する度に転送ボタン押下操作を行うだけで、各アーティストの音楽データが毎回必ず含まれるように音楽データを携帯再生装置５に転送させることができ、かくして音楽データの転送作業を容易にすることができる。
【００７２】
次に図９に示すフローチャートを用いて、このオムニバス転送モード時の自動転送処理手順ＲＴａ３を説明する。
【００７３】
携帯再生装置５が接続台４に載置された状態で転送装置２の転送ボタン６Ａが押下操作されると、これに応じて転送装置２のＣＰＵ８はステップＳＰ２１に進み、ハードディスクドライブ１２に記憶された転送設定情報を参照することにより、転送モード「オムニバス転送モード」が設定されている旨を認識する。
【００７４】
次いでこの転送装置２のＣＰＵ８はステップＳＰ２２に進み、ハードディスクドライブ１２に記憶されている転送履歴情報を参照することにより、既に転送したことのある転送済み音楽データを認識する。
【００７５】
続いて転送装置２のＣＰＵ８はステップＳＰ２３に進み、ハードディスクドライブ１２に記憶されている音楽データを、各音楽データに対応付けられている属性情報に基づいて、アーティストごとに分類する。
【００７６】
そして転送装置２のＣＰＵ８はステップＳＰ２４に進み、アーティストごとに分類された複数の音楽データの中から、各アーティストの音楽データを１曲分ずつ選択する。
【００７７】
次にこの転送装置２のＣＰＵ８はステップＳＰ２５に進み、当該選択した音楽データを接続線３及び接続台４を順次介して携帯再生装置５に対し自動的に転送する。
【００７８】
続いてこの転送装置２のＣＰＵ８はステップＳＰ２６に進み、今回転送した音楽データも履歴として含めるように、ハードディスクドライブ１２に記憶している転送履歴情報を更新した後、終了ステップＳＰ２７に移って自動転送処理手順ＲＴａ３を終了する。
【００７９】
以上の構成においてこの転送装置２は、携帯再生装置５が接続台４に載置された状態で転送装置２の転送ボタン６Ａが押下操作されると、アーティストごとに分類された複数の音楽データの中からアーティストごとに１曲ずつ音楽データを選択し、当該選択した音楽データを携帯再生装置５に対して転送する。
【００８０】
これによりユーザは、携帯再生装置５に転送する音楽データを指定するような作業を行わなくて良く、この結果音楽データの転送作業を格段と容易にすることができる。
【００８１】
以上の構成によればこの転送装置２は、アーティストごとに分類された複数の音楽データの中からアーティストごとに１曲ずつ音楽データを選択し、当該選択した音楽データを携帯再生装置５に対して自動的に転送するようにしたことにより、携帯再生装置５に転送する音楽データを指定するような作業をユーザに行わせなくて済み、この結果音楽データの転送作業を格段と容易にすることができる。
【００８２】
因みにこの場合この転送装置２は、アーティストごとに分類された複数の音楽データの中から、転送済み音楽データを除いて各アーティストの音楽データを１曲分ずつ選択するようにしたが、本発明はこれに限らず、例えば各アーティストの音楽データを所定曲数（例えば２曲以上）分ずつ選択するようにしても良い。
【００８３】
（３）優先自動転送処理
本実施の形態の場合この転送装置２は、上述した自動転送処理ＲＴａ（１〜３）によって転送される音楽データよりも、予め設定された優先転送設定情報に応じた音楽データを優先的に転送する優先自動転送処理を実行するようにもなされている。
【００８４】
ここでこの優先自動転送処理のモードとしては、転送装置２で頻繁に再生される音楽データを優先的に転送する頻繁再生音楽優先転送モード、転送ボタン押下操作が行われる直前までこの転送装置２において再生されていた音楽データ及びこの音楽データと同じアルバムに収録されている他の音楽データを優先的に転送する直前再生音楽優先転送モード、転送装置２から携帯再生装置５へ音楽データを転送する転送処理が行われた前回の時点から新たに転送装置２が録音（取得）した音楽データを優先的に転送する新規録音音楽優先転送モードの３つがある。
【００８５】
以下では、頻繁再生音楽優先転送モード、直前再生音楽優先転送モード、及び、新規録音音楽優先転送モードをそれぞれ詳細に説明する。
【００８６】
（３−１）頻繁再生音楽優先転送モード
転送装置２において頻繁に再生される音楽データを優先的に転送するように設定する設定操作が、この転送装置２の操作部６に対して行われると、これに応じて転送装置２のＣＰＵ８は、頻繁再生音楽優先転送モードに設定された旨を示す優先転送設定情報を生成し、当該生成した優先転送設定情報をハードディスクドライブ１２に記憶する。
【００８７】
この後、携帯再生装置５が接続台４に載置された状態で転送装置２の転送ボタン６Ａが押下操作されると、これに応じて転送装置２のＣＰＵ８は、自動転送処理ＲＴａを実行する前に、ハードディスクドライブ１２に記憶された優先転送設定情報を参照し、これにより頻繁再生音楽優先転送モードに設定されている旨を認識する。そしてこのように頻繁再生音楽優先転送モードに設定されている旨を認識するとこの転送装置２のＣＰＵ８は、ハードディスクドライブ１２に記憶している再生回数情報に基づいて、ハードディスクドライブ１２に記憶している複数の音楽データの中から、この転送装置２において頻繁（例えば５０回以上）再生された音楽データを選択し、当該選択した音楽データを接続線３及び接続台４を順次介して携帯再生装置５に対して自動的に転送する。
【００８８】
このように頻繁再生音楽優先転送モードに設定されている転送装置２は、携帯再生装置５が接続台４に載置された状態で転送ボタン６Ａを押下する転送ボタン押下操作が行われると、自動転送処理ＲＴａにより転送される音楽データよりも、転送装置２において頻繁に再生される音楽データを優先的に携帯再生装置５に対して転送することができる。
【００８９】
次に図１０に示すフローチャートを用いて、この頻繁再生音楽優先転送モード時の優先自動転送処理手順ＲＴｂ１を説明する。
【００９０】
携帯再生装置５が接続台４に載置された状態で転送装置２の転送ボタン６Ａが押下操作されると、これに応じて転送装置２のＣＰＵ８はステップＳＰ３１に進み、自動転送処理ＲＴａを実行する前に、ハードディスクドライブ１２に記憶された優先転送設定情報を参照し、これにより頻繁再生音楽優先転送モードに設定されている旨を認識する。
【００９１】
このように頻繁再生音楽優先転送モードに設定されている旨を認識するとこの転送装置２のＣＰＵ８はステップＳＰ３２に進み、ハードディスクドライブ１２に記憶している再生回数情報に基づいて、ハードディスクドライブ１２に記憶している複数の音楽データの中から、この転送装置２において頻繁（例えば５０回以上）再生された音楽データを選択する。
【００９２】
そしてこの転送装置２のＣＰＵ８はステップＳＰ３３に進み、当該選択した音楽データを接続線３及び接続台４を順次介して携帯再生装置５に対して自動的に転送した後、終了ステップＳＰ３４に移って優先自動転送処理手順ＲＴｂ１を終了する。
【００９３】
（３−２）直前再生音楽優先転送モード
転送ボタン押下操作が行われる直前まで転送装置２において再生されていた音楽データ（以下、これを直前再生音楽データとも呼ぶ）及びこの直前再生音楽データと同じアルバムに収録されている他の音楽データを優先的に転送するように設定する設定操作が、この転送装置２の操作部６に対して行われると、これに応じて転送装置２のＣＰＵ８は、直前再生音楽優先転送モードに設定された旨を示す優先転送設定情報を生成し、当該生成した優先転送設定情報をハードディスクドライブ１２に記憶する。
【００９４】
この後、例えば、転送装置２において音楽データの再生処理が実行されている途中に携帯再生装置５が接続台４に載置された状態でこの転送装置２の転送ボタン６Ａを押下する転送ボタン押下操作が行われると、これに応じて転送装置２のＣＰＵ８は、自動転送処理ＲＴａを実行する前に、ハードディスクドライブ１２に記憶された優先転送設定情報を参照し、これにより直前再生音楽優先転送モードに設定されている旨を認識する。そしてこのように直前再生音楽優先転送モードに設定されている旨を認識するとこの転送装置２のＣＰＵ８は、かかる転送ボタン押下操作が行われる直前まで再生処理していた直前再生音楽データに対応付けられている属性情報に基づいて、この直前再生音楽データが属しているアルバムを認識する。次いでこの転送装置２のＣＰＵ８は、ハードディスクドライブ１２に記憶されている音楽データの中から、各音楽データに対応付けられている属性情報に基づいて当該認識したアルバムに属する他の音楽データを選択すると共に直前再生音楽データを選択し、当該選択した他の音楽データ及び直前再生音楽データを、接続線３及び接続台４を順次介して携帯再生装置５に対して自動的に転送する。
【００９５】
このように直前再生音楽優先転送モードに設定されている転送装置２は、携帯再生装置５が接続台４に載置された状態で転送ボタン６Ａを押下する転送ボタン押下操作が行われると、自動転送処理ＲＴａにより転送される音楽データよりも、転送ボタン押下操作が行われる直前までこの転送装置２において再生されていた直前再生音楽データ及びこの直前再生音楽データと同じアルバムに収録されている他の音楽データを優先的に転送することができる。これによりユーザは、転送ボタン押下操作を行う直前まで転送装置２を介して聴いていた音楽の続きを、例えば外出先で携帯再生装置５を介して聴くことができる。
【００９６】
次に図１１に示すフローチャートを用いて、この直前再生音楽優先転送モード時の優先自動転送処理手順ＲＴｂ２を説明する。
【００９７】
例えば、転送装置２において音楽データの再生処理が実行されている途中に携帯再生装置５が接続台４に載置された状態でこの転送装置２の転送ボタン６Ａを押下する転送ボタン押下操作が行われると、これに応じて転送装置２のＣＰＵ８はステップＳＰ４１に進み、自動転送処理ＲＴａを実行する前に、ハードディスクドライブ１２に記憶された優先転送設定情報を参照することにより、直前再生音楽優先転送モードに設定されている旨を認識する。
【００９８】
このように直前再生音楽優先転送モードに設定されている旨を認識するとこの転送装置２のＣＰＵ８はステップＳＰ４２に進み、かかる転送ボタン押下操作が行われる直前まで再生処理していた直前再生音楽データに対応付けられている属性情報に基づいて、この直前再生音楽データが属しているアルバムを認識する。
【００９９】
次いでこの転送装置２のＣＰＵ８はステップＳＰ４３に進み、ハードディスクドライブ１２に記憶されている音楽データの中から、各音楽データに対応付けられている属性情報に基づいて当該認識したアルバムに属する他の音楽データを選択すると共に直前再生音楽データを選択する。
【０１００】
そしてこの転送装置２のＣＰＵ８はステップＳＰ４４に進み、当該選択した他の音楽データ及び直前再生音楽データを、接続線３及び接続台４を順次介して携帯再生装置５に対して自動的に転送した後、終了ステップＳＰ４５に移って優先自動転送処理手順ＲＴｂ２を終了する。
【０１０１】
（３−３）新規録音音楽優先転送モード
本実施の形態の場合この転送装置２のＣＰＵ８は、携帯再生装置５へ音楽データを転送する転送処理が行われた前回の時点以降に音楽提供サーバ７やＣＤから新たに音楽データを取得すると、当該新たに取得した音楽データを識別するための新規録音音楽識別情報を生成し、当該生成した新規録音音楽識別情報をハードディスクドライブ１２に記憶するようになされている。
【０１０２】
また、転送装置２から携帯再生装置５へ音楽データを転送する転送処理が行われた前回の時点から新たに転送装置２が取得した音楽データを優先的に転送するように設定する設定操作が、この転送装置２の操作部６に対して行われると、これに応じて転送装置２のＣＰＵ８は、新規録音音楽優先転送モードに設定された旨を示す優先転送設定情報を生成し、当該生成した優先転送設定情報をハードディスクドライブ１２に記憶する。
【０１０３】
この後、携帯再生装置５が接続台４に載置された状態で転送装置２の転送ボタン６Ａが押下操作されると、これに応じて転送装置２のＣＰＵ８は、自動転送処理ＲＴａを実行する前に、ハードディスクドライブ１２に記憶された優先転送設定情報を参照し、これにより新規録音音楽優先転送モードに設定されている旨を認識する。そしてこのように新規録音音楽優先転送モードに設定されている旨を認識するとこの転送装置２のＣＰＵ８は、ハードディスクドライブ１２に記憶している複数の音楽データの中から、ハードディスクドライブ１２に記憶している新規録音音楽識別情報により識別される音楽データを選択し、当該選択した音楽データを接続線３及び接続台４を順次介して携帯再生装置５に対して自動的に転送する。
【０１０４】
このように新規録音音楽優先転送モードに設定されている転送装置２は、携帯再生装置５が接続台４に載置された状態で転送ボタン６Ａを押下する転送ボタン押下操作が行われると、自動転送処理ＲＴａにより転送される音楽データよりも、携帯再生装置５へ音楽データを転送する転送処理が行われた前回の時点から新たに転送装置２が取得した音楽データを優先的に携帯再生装置５に対して転送することができる。
【０１０５】
次に図１２に示すフローチャートを用いて、この新規録音音楽優先転送モード時の優先自動転送処理手順ＲＴｂ３を説明する。
【０１０６】
携帯再生装置５が接続台４に載置された状態で転送装置２の転送ボタン６Ａが押下操作されると、これに応じて転送装置２のＣＰＵ８はステップＳＰ５１に進み、自動転送処理ＲＴａを実行する前に、ハードディスクドライブ１２に記憶された優先転送設定情報を参照することにより、新規録音音楽優先転送モードに設定されている旨を認識する。
【０１０７】
このように新規録音音楽優先転送モードに設定されている旨を認識するとこの転送装置２のＣＰＵ８はステップＳＰ５２に進み、ハードディスクドライブ１２に記憶している複数の音楽データの中から、新規録音音楽識別情報により識別される音楽データを選択する。
【０１０８】
そしてこの転送装置２のＣＰＵ８はステップＳＰ５３に進み、当該選択した音楽データを接続線３及び接続台４を順次介して携帯再生装置５に対して自動的に転送した後、終了ステップＳＰ５４に移って優先自動転送処理手順ＲＴｂ３を終了する。
【０１０９】
（４）自動消去処理
本実施の形態の場合この転送装置２のＣＰＵ８は、例えば、自動転送処理ＲＴａや優先自動転送処理ＲＴｂにより音楽データを携帯再生装置５に転送する前に、この携帯再生装置５のハードディスクドライブ１９に記憶されている音楽データを消去する自動消去処理を実行するようにもなされている。
【０１１０】
ここでこの自動消去処理のモードとしては、携帯再生装置５を介して音楽を聴くユーザの評価が低い音楽データをこの携帯再生装置５のハードディスクドライブ１９から消去する低評価消去モードと、携帯再生装置５における再生回数が所定回数に達した音楽データをこの携帯再生装置５のハードディスクドライブ１９から消去する再生回数消去モードとの２つがある。
【０１１１】
以下では、低評価消去モード及び再生回数消去モードをそれぞれ詳細に説明する。
【０１１２】
（４−１）低評価消去モード
例えば携帯再生装置５のイヤホン２４を介して音楽を聴くユーザにより、この携帯再生装置５のハードディスクドライブ１９に記憶されているある音楽データの評価を低くする操作が、この携帯再生装置５の操作部２１に対して行われると、これに応じて携帯再生装置５のＣＰＵ２０は、この音楽データに対するユーザの評価が低い旨を示した音楽評価情報を生成し、当該生成した音楽評価情報をハードディスクドライブ１９に記憶する。
【０１１３】
この一方で、ユーザの評価が低い音楽データを携帯再生装置５のハードディスクドライブ１９から消去するように設定する設定操作が、転送装置２の操作部６に対して行われると、これに応じて転送装置２のＣＰＵ８は、低評価消去モードに設定された旨を示した消去設定情報を生成し、当該生成した消去設定情報をハードディスクドライブ１２に記憶する。
【０１１４】
この後、携帯再生装置５が接続台４に載置された状態で転送装置２の転送ボタン６Ａが押下操作されると、これに応じて転送装置２のＣＰＵ８は、自動転送処理ＲＴａや優先自動転送処理ＲＴｂを実行する前に、ハードディスクドライブ１２に記憶された消去設定情報を参照し、これにより低評価消去モードに設定されている旨を認識する。そしてこのように低評価消去モードに設定されている旨を認識するとこの転送装置２のＣＰＵ８は、接続線３及び接続台４を順次介して携帯再生装置５のハードディスクドライブ１９から音楽評価情報を読み出し、当該読み出した音楽評価情報に基づいてユーザの評価が低い音楽データを認識する。続いてこの転送装置２のＣＰＵ８は、携帯再生装置５のハードディスクドライブ１９から、当該認識した評価の低い音楽データを消去する。
【０１１５】
このように低評価消去モードに設定されている転送装置２は、携帯再生装置５が接続台４に載置された状態で転送ボタン６Ａを押下する転送ボタン押下操作が行われると、接続線３及び接続台４を介して接続されている携帯再生装置５のハードディスクドライブ１９から、ユーザの評価が低い音楽データを自動的に消去することができる。これにより、音楽データを消去した分だけ携帯再生装置５のハードディスクドライブ１９の空記憶容量を増やすことができ、この結果、自動転送処理ＲＴａや優先自動転送処理ＲＴｂにより転送する音楽データの数をその分だけ増やすことができる。
【０１１６】
次に図１３に示すフローチャートを用いて、低評価消去モード時の自動消去処理手順ＲＴｃ１を説明する。
【０１１７】
例えば、携帯再生装置５が接続台４に載置された状態で転送装置２の転送ボタン６Ａが押下操作されると、これに応じて転送装置２のＣＰＵ８はステップＳＰ６１に進み、自動転送処理ＲＴａや優先自動転送処理ＲＴｂを実行する前に、ハードディスクドライブ１２に記憶された消去設定情報を参照することにより、低評価消去モードに設定されている旨を認識する。
【０１１８】
そしてこのように低評価消去モードに設定されている旨を認識するとこの転送装置２のＣＰＵ８はステップＳＰ６２に進み、接続線３及び接続台４を順次介して携帯再生装置５のハードディスクドライブ１９から音楽評価情報を読み出し、当該読み出した音楽評価情報に基づいて、携帯再生装置５のハードディスクドライブ１９に記憶されている音楽データのうち、ユーザの評価が低い音楽データを認識する。
【０１１９】
続いてこの転送装置２のＣＰＵ８はステップＳＰ６３に進み、携帯再生装置５のハードディスクドライブ１９から、当該認識した評価の低い音楽データを消去した後、終了ステップＳＰ６４に進んで自動消去処理手順ＲＴｃ１を終了する。
【０１２０】
（４−２）再生回数消去モード
携帯再生装置５のＣＰＵ２０は、ハードディスクドライブ１９に記憶している音楽データのそれぞれについて再生処理した再生回数をカウントし、当該カウントした再生回数を示した再生回数情報をハードディスクドライブ１９に記憶するようになされている。
【０１２１】
この一方で、携帯再生装置５における再生回数が所定回数に達した音楽データをこの携帯再生装置５のハードディスクドライブ１９から消去するように設定する設定操作が、転送装置２の操作部６に対して行われると、これに応じて転送装置２のＣＰＵ８は、再生回数消去モードに設定された旨を示した消去設定情報を生成し、当該生成した消去設定情報をハードディスクドライブ１２に記憶する。
【０１２２】
この後、携帯再生装置５が接続台４に載置された状態で転送装置２の転送ボタン６Ａが押下操作されると、これに応じて転送装置２のＣＰＵ８は、自動転送処理ＲＴａや優先自動転送処理ＲＴｂを実行する前に、ハードディスクドライブ１２に記憶された消去設定情報を参照し、これにより再生回数消去モードに設定されている旨を認識する。そしてこのように再生回数消去モードに設定されている旨を認識するとこの転送装置２のＣＰＵ８は、接続線３及び接続台４を順次介して携帯再生装置５のハードディスクドライブ１９から再生回数情報を読み出し、当該読み出した再生回数情報に基づいて、携帯再生装置５のハードディスクドライブ１９に記憶されている音楽データの中から、再生回数が所定回数以上である音楽データを認識する。続いてこの転送装置２のＣＰＵ８は、携帯再生装置５のハードディスクドライブ１９から、当該認識した音楽データを消去する。
【０１２３】
このように再生回数消去モードに設定されている転送装置２は、携帯再生装置５が接続台４に載置された状態で転送ボタン６Ａを押下する転送ボタン押下操作が行われると、接続線３及び接続台４を介して接続されている携帯再生装置５のハードディスクドライブ１９から、再生回数が所定回数に達した音楽データを自動的に消去することができる。これにより、音楽データを消去した分だけ携帯再生装置５のハードディスクドライブ１９の空記憶容量を増やすことができ、この結果、自動転送処理ＲＴａや優先自動転送処理ＲＴｂにより転送する音楽データの数をその分だけ増やすことができる。
【０１２４】
次に図１４に示すフローチャートを用いて、再生回数消去モード時の自動消去処理手順ＲＴｃ２を説明する。
【０１２５】
例えば、携帯再生装置５が接続台４に載置された状態で転送装置２の転送ボタン６Ａが押下操作されると、これに応じて転送装置２のＣＰＵ８はステップＳＰ７１に進み、自動転送処理ＲＴａや優先自動転送処理ＲＴｂを実行する前に、ハードディスクドライブ１２に記憶された消去設定情報を参照することにより、再生回数消去モードに設定されている旨を認識する。
【０１２６】
そしてこのように再生回数消去モードに設定されている旨を認識するとこの転送装置２のＣＰＵ８はステップＳＰ７２に進み、接続線３及び接続台４を順次介して携帯再生装置５のハードディスクドライブ１９から再生回数情報を読み出し、当該読み出した再生回数情報に基づいて、携帯再生装置５のハードディスクドライブ１９に記憶されている音楽データの中から、再生回数が所定回数以上である音楽データを認識する。
【０１２７】
続いてこの転送装置２のＣＰＵ８はステップＳＰ７３に進み、携帯再生装置５のハードディスクドライブ１９から、当該認識した音楽データを消去した後、終了ステップＳＰ７４に進んで自動消去処理手順ＲＴｃ２を終了する。
【０１２８】
（５）必須転送設定機能・転送拒否設定機能
本実施の形態の場合、転送装置２のハードディスクドライブ１２に記憶している音楽データのうちのある音楽データを携帯再生装置５に対して必ず転送するように設定する必須転送設定操作が、転送装置２の操作部６に対して行われると、これに応じて転送装置２のＣＰＵ８は、この音楽データを必ず転送させるようにする旨を示した必須転送設定情報を生成し、当該生成した必須転送設定情報をハードディスクドライブ１２に記憶する。
【０１２９】
因みにこの必須転送設定操作は、あるフォルダＦＤ（１、２、……）下に属する音楽データを必ず転送するようにフォルダ単位で設定する、あるアーティストの音楽データを必ず転送するようにアーティスト単位で設定する、あるジャンルの音楽データを必ず転送するようにジャンル単位で設定する等の種々の手法を適用することができる。
【０１３０】
この後、携帯再生装置５が接続台４に載置された状態で転送装置２の転送ボタン６Ａが押下操作されると、これに応じて転送装置２のＣＰＵ８は、ハードディスクドライブ１２に記憶されている必須転送情報を参照し、これにより携帯再生装置５に対して必ず転送すべき音楽データを認識する。そしてこの転送装置２のＣＰＵ８は、当該認識した音楽データを必ず転送対象として含ませるように上述した自動転送処理ＲＴａ等を実行するようになされている。
【０１３１】
また本実施の形態の場合、転送装置２のハードディスクドライブ１２に記憶している音楽データのうちのある音楽データを携帯再生装置５に対して必ず転送されないように設定する転送拒否設定操作が、転送装置２の操作部６に対して行われると、これに応じて転送装置２のＣＰＵ８は、この音楽データを必ず転送させないようにする旨を示した転送拒否設定情報を生成し、当該生成した転送拒否設定情報をハードディスクドライブ１２に記憶する。
【０１３２】
因みにこの転送拒否設定操作は、あるフォルダＦＤ（１、２、……）下に属する音楽データを必ず転送させないようにフォルダ単位で設定する、あるアーティストの音楽データを必ず転送させないようにアーティスト単位で設定する、あるジャンルの音楽データを必ず転送させないようにジャンル単位で設定する等の種々の手法を適用することができる。
【０１３３】
この後、携帯再生装置５が接続台４に載置された状態で転送装置２の転送ボタン６Ａが押下操作されると、これに応じて転送装置２のＣＰＵ８は、ハードディスクドライブ１２に記憶されている転送拒否設定情報を参照し、これにより携帯再生装置５に対して転送すべきでない音楽データを認識する。そしてこの転送装置２のＣＰＵ８は、当該認識した音楽データを必ず転送対象からはずすように上述した自動転送処理ＲＴａ等を実行するようになされている。
【０１３４】
（６）携帯再生装置における記憶領域の設定機能
本実施の形態の場合この携帯再生装置５のハードディスクドライブ１９には、ユーザの指定操作により指定された音楽データが転送装置２から転送されて記憶される指定音楽記憶領域と、自動転送処理ＲＴａや優先自動転送処理ＲＴｂにより転送装置２から自動的に転送される音楽データが記憶される自動転送音楽記憶領域とを設定することができる。この点を以下で詳細に説明する。
【０１３５】
例えば、携帯再生装置５における指定音楽記憶領域として２［ＧＢ］の記憶容量を割り当てるようにすると共に自動転送音楽記憶領域として８［ＧＢ］の記憶領域を割り当てるようにする設定操作が、転送装置２の操作部６に対して行われると、これに応じて転送装置２のＣＰＵ８は、接続線３及び接続台４を介して接続している携帯再生装置５のハードディスクドライブ１９のうち、記憶容量２［ＧＢ］を指定音楽記憶領域として設定し、８［ＧＢ］を自動転送音楽記憶領域として設定する。
【０１３６】
この後、携帯再生装置５が接続台４に載置された状態で転送装置２の転送ボタン６Ａが押下操作されると、これに応じて転送装置２のＣＰＵ８は、自動転送処理ＲＴａや優先自動転送処理ＲＴｂを実行することにより、接続線３及び接続台４を介して接続されている携帯再生装置５のハードディスクドライブ１９における自動転送音楽記憶領域に対して音楽データを転送する。
【０１３７】
また携帯再生装置５が接続台４に載置された状態で、転送する音楽データを指定する指定操作が転送装置２の操作部６に対して行われると、これに応じて転送装置２のＣＰＵ８は、ハードディスクドライブ１２に記憶されている音楽データのうち当該指定操作により指定された音楽データを、接続線３及び接続台４を介して接続されている携帯再生装置５のハードディスクドライブ１９における指定音楽記憶領域に対して転送する。
【０１３８】
これによりユーザは、転送装置２の自動転送処理ＲＴａや優先自動転送処理ＲＴｂによって自動的に選択される音楽データのほかに、自身で選択した音楽データも携帯再生装置５のハードディスクドライブ１９に記憶させることができ、かくして格段と使い勝手を向上させることができる。
【０１３９】
（７）転送処理の切り替え機能
（７−１）音楽データ同期処理及び自動転送処理の切り替え
本実施の形態の転送装置２は、転送装置２のハードディスクドライブ１２に記憶されている全ての音楽データが携帯再生装置５のハードディスクドライブ１９に記憶されるようにする音楽データ同期処理と、上述した自動転送処理ＲＴａとを切り替える機能も有している。ここでは、この機能を詳細に説明する。
【０１４０】
つまりこの転送装置２のＣＰＵ８は、接続線３及び接続台４を介して携帯再生装置５と接続した際、転送装置２のハードディスクドライブ１２に記憶されている音楽データの総データ量と、携帯再生装置５に設けられたハードディスクドライブ１９の記憶容量とを比較し、この比較の結果、転送装置２のハードディスクドライブ１２に記憶されている音楽データの総データ量（例えば、５［ＧＢ］）よりも、携帯再生装置５のハードディスクドライブ１９の記憶容量（例えば、１０［ＧＢ］）が大きいことを認識すると、転送装置２のハードディスクドライブ１２に記憶されている全ての音楽データが携帯再生装置５のハードディスクドライブ１９に記憶されるようにする音楽データ同期処理を実行し、これに対して、転送装置２のハードディスクドライブ１２に記憶されている音楽データの総データ量（例えば、１１［ＧＢ］）が、携帯再生装置５のハードディスクドライブ１９の記憶容量（例えば、１０［ＧＢ］）よりも大きいことを認識すると、携帯再生装置５のハードディスクドライブ１９の記憶容量に収まる曲数分の音楽データを選択して転送する自動転送処理ＲＴａを実行するようになされている。
【０１４１】
因みにこの音楽データ同期処理では、例えば、転送装置２のＣＰＵ８が、転送装置２のハードディスクドライブ１２に記憶されている音楽データであって、携帯再生装置５のハードディスクドライブ１９に記憶されていない音楽データを認識した後、当該認識した音楽データを転送装置２のハードディスクドライブ１２から読み出して携帯再生装置５に対して転送するようになされている。
【０１４２】
（７−２）一巡転送モード及びシャッフル転送モードの切り替え
本実施の形態の転送装置２は、一巡転送モードによる自動転送処理ＲＴａ１と、シャッフル転送モードによる自動転送処理ＲＴａ２とを切り替える機能も有している。ここでは、この機能を詳細に説明する。
【０１４３】
まず本実施の形態の携帯再生装置５においては、ハードディスクドライブ１９に記憶されている複数の音楽データを所定順序で順次再生する通常再生モードと、ハードディスクドライブ１９に記憶されている複数の音楽データを順序無作為（ランダム）に選択して順次再生する順序無作為再生モードとを切り替えるための再生モード切替ボタン２１Ａが、操作部２１の一部として設けられている。つまりこの携帯再生装置５のＣＰＵ２０は、例えば、再生モード切替ボタン２１Ａが操作されることにより通常再生モードに設定された場合、ハードディスクドライブ１９に記憶されている複数の音楽データを所定順序（例えば、転送装置２から転送された順番）で順次再生処理し、これに対して、再生モード切替ボタン２１Ａが操作されることにより順序無作為再生モードに設定された場合、ハードディスクドライブ１９に記憶されている複数の音楽データを順序無作為に選択して順次再生処理するようになされている。
【０１４４】
転送装置２のＣＰＵ８は、接続線３及び接続台４を介して携帯再生装置５と接続した際、この携帯再生装置５が通常再生モードに設定されているか又は順序無作為再生モードに設定されているかを確認し、この確認の結果、この携帯再生装置５が通常再生モードに設定されていることを認識すると、一巡転送モードによる自動転送処理ＲＴａ１を実行することにより音楽データを携帯再生装置５に対して転送し、これに対して、この携帯再生装置５が順序無作為再生モードに設定されていることを認識すると、シャッフル転送モードによる自動転送処理ＲＴａ２を実行することにより音楽データを携帯再生装置５に対して転送するようになされている。
【０１４５】
（８）転送音楽指定補助機能
本実施の形態の転送装置２は、携帯再生装置５に転送する音楽データをユーザに指定させる際、このユーザの指定作業を補助するための転送音楽指定補助機能を有している。ここでは、この機能を詳細に説明する。
【０１４６】
転送装置２のＣＰＵ８は、ハードディスクドライブ１２に記憶されている多数の音楽データから、無作為に所定曲数分の音楽データを選択し、当該選択した音楽データの属性情報に基づいて、当該選択した音楽データのタイトルやアーティスト名等を例えばリスト状に示してなる転送音楽指定画面ＳＣ２（図１５）を表示部１４に表示する。
【０１４７】
本実施の形態の場合この転送音楽指定画面ＳＣ２では、例えば、各音楽データのタイトルに対応するようにしてチェックボックスが表示されている。これによりユーザは、転送装置２の操作部６を介して、この転送音楽指定画面ＳＣ２にタイトル等が表示されている音楽データを１曲単位で指定することができる。
【０１４８】
転送装置２のＣＰＵ８は、転送音楽指定画面ＳＣ２にタイトル等が表示されている音楽データの中から一又は複数の音楽データを指定する操作が転送装置２の操作部６を介して行われた後、転送音楽指定画面ＳＣ２における「転送」ボタンＢＴ１を押下する操作が転送装置２の操作部６を介して行われると、当該指定された音楽データを転送装置２のハードディスクドライブ１２から読み出して携帯再生装置５に対して転送するようになされている。
【０１４９】
また転送装置２のＣＰＵ８は、転送音楽指定画面ＳＣ２における「次の画面」ボタンＢＴ２を押下する操作が転送装置２の操作部６を介して行われると、ハードディスクドライブ１２に記憶されている多数の音楽データの中から、既に転送音楽指定画面ＳＣ２に表示した音楽データを除いて無作為に所定曲数分の音楽データを選択し、当該選択した音楽データの属性情報に基づいて、当該選択した音楽データのタイトルやアーティスト名等を示してなる転送音楽指定画面ＳＣ２を新たに表示部１４に表示するようになされている。
【０１５０】
このようにこの転送装置２は、転送装置２のハードディスクドライブ１２に記憶されている多数の音楽データの中から、無作為に所定曲数分の音楽データを選択し、当該無作為に選択した音楽データのタイトル等をユーザが指定できるように提示するようにした。この結果、例えば転送装置２のハードディスクドライブ１２に記憶されている多数の音楽データを所定順序でユーザに提示する場合と比べて、これら多数の音楽データをまんべんなくユーザに提示することができる。これによりユーザにとっては、転送装置２のハードディスクドライブ１２に記憶されている多数の音楽データから、携帯再生装置５に転送させたい所望の音楽データを見つけ出す作業が容易になり、かくして携帯再生装置５に転送する音楽データの指定作業を効率的にすることができる。
【０１５１】
（９）他の実施の形態
上述の実施の形態においては、転送装置２が、取得した複数の音楽データをアルバムグループＡＧ１、２、……ごとに分類する場合について述べたが、本発明はこれに限らず、取得した複数の音楽データをジャンルやアーティスト等のこの他種々のグループごとに分類して、アルバムグループＡＧ１、２、……ごとに分類した場合と同様の処理を実行するようにしても良い。
【０１５２】
また上述の実施の形態においては、転送装置２が、ハードディスクドライブ１２に記憶されている複数の音楽データの中から、タイトル表示順で所定曲数の音楽データを選択する場合について述べたが、本発明はこれに限らず、転送装置２における音楽データ再生順で音楽データを選択するようにしても良く、またこの他種々の順番で音楽データを選択するようにしても良い。
【０１５３】
また上述の実施の形態においては、転送装置２から転送される音楽データが記憶される記憶媒体として、携帯再生装置５のハードディスクドライブ１９を適用する場合について述べたが、本発明はこれに限らず、携帯再生装置５に接続されたこの他種々の記憶媒体（ＭＤ（Mini Disc(R)）や不揮発性メモリ等）を適用するようにしても良い。
【０１５４】
また上述の実施の形態においては、転送装置２から携帯再生装置５に対して転送されるコンテンツデータとして、音楽を示す音楽データを適用する場合について述べたが、本発明はこれに限らず、静止画像データや動画像データやプログラムや文章情報等であっても良い。
【０１５５】
また上述の実施の形態においては、第１の装置（転送装置２）に通信手段（接続線３及び接続台４）を介して接続される第２の装置として、携帯再生装置５を適用する場合について述べたが、第１の装置から転送されるコンテンツデータを受信して記憶することができればこの他種々の情報処理装置を適用することができる。
【０１５６】
また上述の実施の形態においては、転送装置２のＣＰＵ８が、自動転送処理ＲＴａ（１〜３）や優先自動転送処理ＲＴｂ（１〜３）やその他各種処理ＲＴｃ（１〜２）を実行させるためのプログラムをＲＯＭ（Read Only Memory）２５やハードディスクドライブ１２から読み出してＲＡＭ(Random Access Memory)２６に展開し、当該展開したプログラムに従って自動転送処理ＲＴａ（１〜３）や優先自動転送処理ＲＴｂ（１〜３）やその他各種処理ＲＴｃ（１〜２）をソフトウェア的に実行する場合について述べたが、本発明はこれに限らず、自動転送処理ＲＴａ（１〜３）や優先自動転送処理ＲＴｂ（１〜３）やその他各種処理ＲＴｃ（１〜２）を実行させるための回路を転送装置２に設け、当該設けた回路により自動転送処理ＲＴａ（１〜３）や優先自動転送処理ＲＴｂ（１〜３）やその他各種処理ＲＴｃ（１〜２）をハードウェア的に実行するようにしても良い。
【０１５７】
また上述の実施の形態においては、携帯再生装置５のＣＰＵ２０が、プログラムをＲＯＭ２７やハードディスクドライブ１９から読み出してＲＡＭ２８に展開し、当該展開したプログラムに従って上述した各種処理をソフトウェア的に実行する場合について述べたが、本発明はこれに限らず、これら各種処理を実行させるための回路を携帯再生装置５に設け、当該設けた回路によりこれら各種処理をハードウェア的に実行するようにしても良い。
【０１５８】
また上述の実施の形態において、転送装置２のＣＰＵ８は、接続線３及び接続台４を介して携帯再生装置５と接続した際、この携帯再生装置５が通常再生モードに設定されているか又は順序無作為再生モードに設定されているかを確認し、この確認の結果、この携帯再生装置５が通常再生モードに設定されていることを認識すると、一巡転送モードによる自動転送処理ＲＴａ１を実行することにより音楽データを携帯再生装置５に対して転送し、これに対して、この携帯再生装置５が順序無作為再生モードに設定されていることを認識すると、シャッフル転送モードによる自動転送処理ＲＴａ２を実行することにより音楽データを携帯再生装置５に対して転送するようにしたが、本発明はこれに限らず、携帯再生装置５に設定されている再生モードに応じた手法により音楽データを選択して転送することができれば、この他種々の処理方式で転送装置２のＣＰＵ８は携帯再生装置５に対して音楽データを転送することができる。
【産業上の利用可能性】
【０１５９】
本発明は、例えば、パーソナルコンピュータやオーディオ機器に相当する転送装置からユーザによって携帯されて使用される携帯再生装置に対して音楽データを転送する場合等に利用することができる。
【図面の簡単な説明】
【０１６０】
【図１】本実施の形態における音楽転送システムの全体構成を示す略線図である。
【図２】転送装置の構成を示すブロック図である。
【図３】ディレクトリ構成を示す略線図である。
【図４】携帯再生装置の構成を示すブロック図である。
【図５】転送設定画面を示す略線図である。
【図６】一巡転送モード時の自動転送処理手順を示すフローチャートである。
【図７】転送設定画面を示す略線図である。
【図８】シャッフル転送モード時の自動転送処理手順を示すフローチャートである。
【図９】オムニバス転送モード時の自動転送処理手順を示すフローチャートである。
【図１０】頻繁再生音楽優先転送モード時の優先自動転送処理手順を示すフローチャートである。
【図１１】直前再生音楽優先転送モード時の優先自動転送処理手順を示すフローチャートである。
【図１２】新規録音音楽優先転送モード時の優先自動転送処理手順を示すフローチャートである。
【図１３】低評価消去モード時の自動消去処理手順を示すフローチャートである。
【図１４】再生回数消去モード時の自動消去処理手順を示すフローチャートである。
【図１５】転送音楽指定画面を示す略線図である。
【符号の説明】
【０１６１】
１……音楽転送システム、２……転送装置、５……携帯再生装置、８、２０……ＣＰＵ、１２、１９……ハードディスクドライブ、１７……音楽データ転送部、１８……音楽データ受信部。
【図１】
2006235717.tif 000003
【図２】
2006235717.tif 000004
【図３】
2006235717.tif 000005
【図４】
2006235717.tif 000006
【図５】
2006235717.tif 000007
【図６】
2006235717.tif 000008
【図７】
2006235717.tif 000009
【図８】
2006235717.tif 000010
【図９】
2006235717.tif 000011
【図１０】
2006235717.tif 000012
【図１１】
2006235717.tif 000013
【図１２】
2006235717.tif 000014
【図１３】
2006235717.tif 000015
【図１４】
2006235717.tif 000016
【図１５】
2006235717.tif 000017